(57)【特許請求の範囲】
【請求項１】
略Ｕ字形に形成してなる保護枠の左右の外側面にその長さ方向に沿って挟持部を形成し、取り付ける機器の板材の端に予め形成する切り欠き口に対し開口側より嵌め付けて前記挟持部に切り欠き口の縁部を受け入れ前記保護枠を止着せしめる電線保護具において、前記保護枠の底部に保護枠のＵ字形の左右の柱より前後方向に厚肉の摘み部を形成したことを特徴とする電線保護具。
【請求項２】
前記保護枠の底部の両側にヒンジ部を形成したことを特徴とする請求項１記載の電線結束具。
【発明の詳細な説明】
【０００１】
【発明の属する技術分野】
本発明は、各種電子・電気機器の配線時等において、板金やプリント基板等の板材のエッジ部に電線を通す場合に電線が傷つかないように摩耗や破損から保護するために使用される電線保護具に関するものである。
【０００２】
【従来の技術】
従来、取付パネルのエッジ部に電線を通す場合に板材のエッジ部にＵ字形の切り欠き口を設けることが良く行われるが、切り欠き口の縁で電線が傷つくことがあるため、図７に示したような保護具が用いられている。
【０００３】
これを図面に基づいて説明すると、適度の弾性と硬性を有するプラスチックでＵ字形に形成してなる保護枠３１の外周面にその長さ方向に沿って条溝３２を形成し、取り付ける機器の板材３３の端部に予め形成する切り欠き口部３４に対し開口側より嵌め付けて前記条溝３２に該切り欠き口部３４の縁部３５を受け入れて上記保護枠３１を止着せしめるもので、条溝３２は保護枠３１を切り欠き口部３４内部に完全に嵌め付けられるように上記外周面の全長に渡って形成してあり、その両端部に近い溝３２の底には切り欠き口部３４の開口部に形成する切り欠き段部３６，３６に嵌り込む鉤形の突起３７，３７が設けてあるものであった。つまり、この保護具は板材３３の切り欠き口部３４に対しては単なる押し込み操作によってその内部に嵌まり付くとともに外周面に形成した条溝３２に該口部３４の縁部３５を受け入れ止着されることになるもので、構造が簡単で使い勝手の良いものであった。
【０００４】
【発明が解決しようとする課題】
しかしながら、この保護具はＵ字形の左右の柱３８，３９が内側に弾性変形して鉤形の突起３７，３７が切り欠き段部３６，３６に嵌まり込んで弾性復元し止着するものにもかかわらず一般的に摘むとＵ字形の左右の柱３８，３９に指がかかるほど小さい形状であったから、保護枠３１を手に持って切り欠き口部３４に嵌め付けようとした場合、Ｕ字形の左右の柱３８，３９に指がかかって弾性変形を妨害するため取り付け作業がしにくいという欠点があった。
本発明は、上記のような問題点を解消するためになされたもので、保護枠を手に持って切り欠き口部に嵌め付けようとした場合、Ｕ字形の左右の柱に指がかからず取り付け作業がしやすい電線保護具を提供することを目的とする。
【０００５】
【課題を解決するための手段】
本発明は、その目的を達成するため次のような構成を採用している。
つまり、本発明の電線保護具は、略Ｕ字形に形成してなる保護枠の左右の外側面にその長さ方向に沿って挟持部を形成し、取り付ける機器の板材の端に予め形成する切り欠き口に対し開口側より嵌め付けて前記挟持部に切り欠き口の縁部を受け入れ前記保護枠を止着せしめる電線保護具において、前記保護枠の底部に保護枠のＵ字形の左右の柱より前後方向に厚肉の摘み部を形成したことを特徴とするものである。
また、本発明の電線保護具は、前記保護枠の底部の両側にヒンジ部を形成したことを特徴とするものである。
【０００６】
【作    用】
本発明は、上記構成により、前記切り欠き口に保護枠を嵌め付ける際に、保護枠のＵ字形の底部に形成した厚肉の摘み部を指でつまんで行えばＵ字形の左右の柱に指がかかることがないから、保護枠のＵ字形の左右の柱の弾性変形を妨害することがない。
請求項２に係わる発明は、上記構成により、保護枠はヒンジ部によりいっそう弾性変形しやすくなる。
【０００７】
【発明の実施の形態】
次に本発明に係わる電線保護具の実施の形態（以下、「実施例」という）を添付図面に基づいて説明する。
図１は本発明の実施例を示す斜視図であり、図２は本発明の実施例を示す正面図であり、図３は図２の底面図であり、図４は図２のＡ−Ａ断面図であり、図５は図２の閉じた状態を示す一部破断の正面図であり、図６は使用状態の斜視図である。
【０００８】
１は電線を収納する保護枠であって、板材２の切り欠き口部３の形状に合わせて、略Ｕ字状に形成している。この保護枠１の左右の両外側面４，５に前記切り欠き口部３の縁部６を受け入れる挟持部７，８を形成している。挟持部は、図３、図４に示したように保護枠１の底部９の外周面にも形成していて、この底部９の外周面に形成した挟持部１０はＵ字形の左右の柱１１，１２より前後方向に厚肉に形成して摘み部１３を構成している。
【０００９】
また保護枠１の底部９の両側（摘み部１３の左右）にはヒンジ部１４，１５を設けてＵ字形の左右の柱１１，１２が弾性変形しやすくしている。なお、前記挟持部７，８，１０は金型作成上保護枠１の外周面の前後両側縁に前後で位置をずらして形成することが望ましい。
【００１０】
保護枠１の左右の両外側面４，５の底には切り欠き口部３に形成する一対の切り欠き段部１６，１６に嵌まり込む鉤形の一対の突起１７，１７を設けている。
【００１１】
保護枠１の左右の一端にヒンジ１８を介して回動する可動係止部１９を設け、可動係止部１９の開放端には、前記開放端を前記保護枠１の外側に弾性変形可能に略Ｕ字形に折り返して折返部２０を設けるとともに該折返部２０の先端近傍の外側に段付きの係止突部２１を設け、前記保護枠の他端に前記一端の係止突部２１を係止する固定係止部２２を設けている。前記固定係止部２２は少なくとも２つの突条２３，２４で形成し、該２つの突条のうち外側の突条２４の内側に前記可動係止部１９の係止突部２１が弾性変形して挿入状態で係止される係止片２５を設け、前記可動係止部１９の折返部２０の底部に貫通孔２６を設け（図２、図５参照）、前記突条のうち内側の突条２３を前記折返部２０の貫通孔２６に嵌入するように形成している。
【００１２】
なお、前記可動係止部１９の折返部２０の先端には、係止突部２１と係止片２５とのロック解除時に前記Ｕ字形の折返部２０の係止突部２１を内側に向けて弾性変形させることができるようにロック解除レバー２８が設けられている。
【００１３】
上記本発明の電線保護具は、適度の弾性と硬性を有するプラスチック（例えばポリアミド）で成形される。
【００１４】
次に、本実施例に示す電線保護具を板材２に取り付ける場合について説明する。
図１に示すように、上記切り欠き口部３に取り付ける場合には、底部外周面側を切り欠き口部３の開口部に臨ませて、板材の面に揃えるようにして差し込み、上記外周面に形成した挟持部７，８に切り欠き口部３の縁部６を受け入れてそのままこれをガイドにしながら嵌め込まれる。そして、上記突起１７，１７を設けた部分が切り欠き口部３の開口部に達したところで、該保護具のＵ字形の左右の柱１１，１２を素材の弾性を利用して内側にたわませて、これを通過させたのち素材の復元力でこの突起１７，１７を切り欠き段部１６，１６に係止させて、図６に示したように板材２への取り付け作業が完了する。この時Ｕ字形の底部９の厚肉の摘み部１３を指でつまんで行えばＵ字形の左右の柱１１，１２に指がかかることがないから、Ｕ字形の保護枠１の左右の柱１１，１２の弾性変形を妨害することがなく、円滑な取り付け作業を行うことができる。
【００１５】
また、電線を束線する場合、まず保護枠１内に電線２７を収納した後、可動係止部１９を内側に倒し、可動係止部１９の貫通孔２６を固定係止部２２の内側の突状２３に差し込む。この時係合突部２１と係止片２５が係合され、可動係止部１９が固定係止部２２にロックされ、保護枠１は閉じられ、図６に示したように電線２７は保護枠内に束線される。
なお、ロックを解除する場合は、ロック解除レバー２８を引き起こす。この時係合突部２１と係止片２５との係合が解除され可動係止部１９が外側に開く。
【００１６】
本発明は上記実施例に限定されるわけではなく、例えば上記実施例においては挟持部７，８，１０は金型作成上保護枠の外周面の前後に上下左右に位置をずらして形成したが、条溝にしても良い。
【００１７】
【発明の効果】
本発明は上記のとおり構成されているので、次に記載する効果を奏する。
請求項１の発明によれば、前記切り欠き口に保護枠を嵌め付ける際に、Ｕ字形の底部の摘み部を指でつまんで行えばＵ字形の左右の柱に指がかかることがないから、Ｕ字形の保護枠の左右の柱の弾性変形を妨害することがなく、取り付け作業の効率を上げることができる電線保護具を提供することができる。
請求項２の発明によれば、保護枠の左右の柱はヒンジ部によりいっそう弾性変形しやすくすることができるから、取り付け作業がしやすい電線保護具を提供することができる。
【図面の簡単な説明】
【図１】本発明の一実施例を示す斜視図である。
【図２】本発明の一実施例を示す正面図である。
【図３】図２の底面図である。
【図４】図２のＡ−Ａ断面図である。
【図５】図２の閉じた状態を示す一部破断の正面図である。
【図６】本発明の一実施例の使用状態を示す斜視図である。
【図７】従来の一実施例を示す正面図である。
【符号の説明】
１  保護枠
２  板材
３  切り欠き口部
６  縁部
８  挟持部
９  底部
１０  挟持部
１３  摘み部
１４  ヒンジ部
１５  ヒンジ部
【図１】
0003903111.tif 000002
【図２】
0003903111.tif 000003
【図３】
0003903111.tif 000004
【図４】
0003903111.tif 000005
【図５】
0003903111.tif 000006
【図６】
0003903111.tif 000007
【図７】
0003903111.tif 000008